(57)【要約】 
【課題】  非接触型ＩＣカードを確実に固定すると共に、アンテナ基板ユニットを固定する固定具を備えた非接触型ＩＣカードの固定装置を提供する。
【解決手段】  カード固定基板前面１０ａとカード固定蓋１１との間に形成された空間１２に上部より非接触型ＩＣカード２が挿入されると、前記一対の挟持片１１ｂが弾性変形して、該挟持片先端の折り曲げ部１１ｃと、前記一対の突条１０ｄとによって非接触式カード２が挟み込まれ固定される。一方、カード固定基板背面１０ｅと、前記押圧片１０ｇとの間に形成される空間１３にアンテナ基板ユニット１４が挿入されると、アンテナ基板１４ａの前面がカード固定基板背面１０ｅに密着すると共に、金属板１４ｃの背面が２対の押圧片１０ｇに設けられた突起部１０ｈと当接し弾性変形し押圧されることによって、アンテナ基板ユニット１４が固定される。
【選択図】          図５
0003101465.tif 000002
【実用新案登録請求の範囲】
【請求項１】
前面（１０ａ）に一対の突条（１０ｄ、１０ｄ）が設けられたカード固定基板（１０）と、前記突条（１０ｄ、１０ｄ）と対向する位置に一対の挟持片（１１ｂ、１１ｂ）が設けられたカード固定蓋（１１）と、を備え、
前記カード固定蓋（１１）の左右延出部（１１ａ、１１ａ）と前記カード固定基板（１０）の左右延出部（１０ｃ、１０ｃ）とが接合されると共に、
前記一対の突条（１０ｄ、１０ｄ）と前記一対の挟持片（１１ｂ、１１ｂ）先端の折り曲げ部（１１ｃ、１１ｃ）とが当設するようにして形成される非接触型ＩＣカードの固定装置（９）であって、
前記カード固定基板前面（１０ａ）と前記カード固定蓋（１１）との間に形成された空間（１２）に、上部より非接触型ＩＣカード（２）が挿入されると、前記一対の挟持片（１１ｂ、１１ｂ）が弾性変形して、該挟持片（１１ｂ、１１ｂ）先端の折り曲げ部（１１ｃ、１１ｃ）と、前記一対の突条（１０ｄ、１０ｄ）とによって前記非接触式ＩＣカード（２）が挟持されて固定される、
ことを特徴とする非接触型ＩＣカードの固定装置。
【請求項２】
前記カード固定基板（１０）の背面（１０ｅ）には、アンテナ基板ユニット１４の前面（１４ａ）を密着させると共に、
該アンテナ基板ユニット（１４）の周囲を、前記カード固定基板（１０）の背面から後方に延出する枠（１０ｆ）によって支え、
該枠（１０ｆ）の左右に設けられた少なくとも一対の押圧片（１０ｇ、１０ｇ）によって、前記アンテナ基板ユニット（１４）の背面（１４ｃ）が押圧されて固定されるアンテナ基板ユニット（１４）の固定具を具備した、
ことを特徴とする請求項１に記載の非接触型ＩＣカードの固定装置。
【請求項３】
前記押圧片（１０ｇ）には、前記アンテナ基板ユニット（１４）の背面（１４ｃ）を押圧する側の先端部に突起部（１０ｈ）が形成される、
ことを特徴とする請求項２に記載の非接触型ＩＣカードの固定装置。
【考案の詳細な説明】
【技術分野】
【０００１】
本考案は、カードポケット等を設けることによって、非接触型ＩＣカードであっても一時的にカードを保持固定してカード処理を実施することが可能な非接触型ＩＣカードのリーダライタにおけるカードの固定装置に関する。
【背景技術】
【０００２】
近年、カードリーダライタ側と非接触で結合する非接触型ＩＣカードが用いられるようになっている。この非接触型ＩＣカードは、カードおよびリーダライタ内のアンテナにより、双方を接触させることなく情報のやり取りが可能である。即ち、非接触型ＩＣカードが、リーダライタのアンテナ基板上にかざされると、アンテナ基板上に形成されたアンテナコイルの発振電流に基づいて発生する発振磁界により、非接触型ＩＣカード上のアンテナコイルに電流が誘起され、この誘起電流の基づく電圧が電源電圧としてＩＣカードに供給され、カードリーダライタ側から、互いのアンテナを介してＩＣカードメモリに対するデータの読み出しや書き込みが可能となる。このため、カードリーダライタにカードを通す必要がないため、カードの取り扱いが容易で利用しやすく、また、摩耗などによる劣化が少ない等の利点が多いのが特徴である。
【０００３】
ところで、このＩＣカードリーダライタと非接触で通信を行い、当該カードメモリ内に対する読み出しや書き込みの処理を行わせる方式としては、以下に示す「取り込み方式」と「かざし方式」の二種類の制御方式がある。特許文献１には、自動販売機に搭載されたＩＣカードリーダライタに関して、上記二種類の制御方式の違いについて、以下のように述べられている。
【０００４】
「取り込み方式」の制御方式とは、ＩＣカードの使用者がまずフロントマスク内に形成されたＩＣ投入口を介してフロントマスク内のＩＣカードホルダー内にＩＣカードを取り込ませると、それを検知してＩＣカードリーダライタ手段が当該ＩＣカードにアクセスして金銭情報を読み取り、次に、ＩＣカードリーダライタ手段は読み取った金銭情報に基づき選択可能範囲の商品を表示し、そして商品が選択されると、選択された商品の払い出しを行い、その後、ＩＣカードに対し商品に関する金銭情報の減算処理を行う制御方式である。
【０００５】
一方、「かざし方式」の制御方式とは、ＩＣカードの使用者は、まず最初にＩＣカードをフロントマスクにかざして当該カードの金銭情報をＩＣカードリーダライタ手段に読み取らせ、その後、読み取った金銭情報に基づき選択可能な商品を選択させる。そして、その選択商品が選択されると、再びＩＣカードをかざすことにより、当該ＩＣカードとＩＣカードリーダライタ手段との間で通信を行い、その際に当該ＩＣカードのＩＣ記憶範囲にアクセスして商品に関する金銭情報の減算処理を行い、その後、選択された商品を払い出すようにした制御方式である。
【０００６】
上記「取り込み方式」のように、非接触型ＩＣカードリーダライタにおいては、カードを機器内にとりこませるか、または、カード処理中に一旦、保持固定させる方式を採用しているタイプがあり、例えばＩＣカード式公衆電話のように、カードをカードポケットに差し込んだ状態で機器を運用するものもある。このような運用の方が上記「かざし方式」よりも都合がよい場合がある。また、「かざし方式」に採用すると、当該機器の前面にアンテナをかざすフロントマスク部を備えなければならないため、これが比較的大きな面積を有し、リーダライタ自体も必然的に大きくなる。これらの理由から、機器のコンパクト化に関しては「かざし方式」は不利となる。また、上記「取り込み方式」においては、特に密着型非接触ＩＣカード（カードとリーダライタ間の通信距離が２ｍｍ以下のもの、非特許文献１参照）を採用する場合、特に有効となる。
【０００７】
【特許文献１】特開２００３−１４１６１０号公報の段落［０００２］〜［０００７］
【非特許文献１】ＵＦＪ総合研究所情報通信・家族社会室著「ＩＣカードビジネス最前線」、株式会社工業調査会、２００２年７月５日、ｐ６８−７１、およびｐ１４２−１４４。
【考案の開示】
【考案が解決しようとする課題】
【０００８】
上述の理由から、上記「取り込み方式」を採用し、非接触型リーダライタのコンパクト化を目的として以下のような考案をした。図１に、非接触型ＩＣカード２をカードポケット３に差し込んで固定して処理を実施する非接触型ＩＣカードリーダライタ１の外観を示す。本課題は、図１のような非接触型ＩＣカードリーダライタ１におけるカードの固定装置に関し、通常、このような場合、当該ＩＣカードが確実に固定されると共に、当該ＩＣカードの有するアンテナと、当該非接触型ＩＣカードリーダライタ１の有するアンテナ基板とが、カードの処理中に保持されていることが必要となる。また、本装置１は小型であるため、当該アンテナ基板ユニットの固定具と該ＩＣカードの固定具とは、非常に小さな空間に形成されなければならないという問題があった。
【０００９】
そこで本考案では、当該ＩＣカードを確実に固定すると共に、当該非接触型ＩＣカードリーダライタの有するアンテナ基板ユニットを固定する固定具を備えた非接触型ＩＣカードの固定装置を提供することを目的とする。
【課題を解決するための手段】
【００１０】
前記目的を達成するために、本考案のうちで請求項１に記載の非接触型ＩＣカードの固定装置は、
前面（１０ａ）に一対の突条（１０ｄ、１０ｄ）が設けられたカード固定基板（１０）と、前記突条（１０ｄ、１０ｄ）と対向する位置に一対の挟持片（１１ｂ、１１ｂ）が設けられたカード固定蓋（１１）と、を備え、
前記カード固定蓋（１１）の左右延出部（１１ａ、１１ａ）と前記カード固定基板（１０）の左右延出部（１０ｃ、１０ｃ）とが接合されると共に、
前記一対の突条（１０ｄ、１０ｄ）と前記一対の挟持片（１１ｂ、１１ｂ）先端の折り曲げ部（１１ｃ、１１ｃ）とが当設するようにして形成される非接触型ＩＣカードの固定装置（９）であって、
前記カード固定基板前面（１０ａ）と前記カード固定蓋（１１）との間に形成された空間（１２）に、上部より非接触型ＩＣカード（２）が挿入されると、前記一対の挟持片（１１ｂ、１１ｂ）が弾性変形して、該挟持片（１１ｂ、１１ｂ）先端の折り曲げ部（１１ｃ、１１ｃ）と、前記一対の突条（１０ｄ、１０ｄ）とによって前記非接触式ＩＣカード（２）が挟持されて固定される、
ことを特徴とする。
【００１１】
また、請求項２に記載の非接触型ＩＣカードの固定装置は、請求項１に記載の非接触型ＩＣカードの固定装置に加えて、
前記カード固定基板（１０）の背面（１０ｅ）には、アンテナ基板ユニット１４の前面（１４ａ）を密着させると共に、
該アンテナ基板ユニット（１４）の周囲を、前記カード固定基板（１０）の背面から後方に延出する枠（１０ｆ）によって支え、
該枠（１０ｆ）の左右に設けられた少なくとも一対の押圧片（１０ｇ）によって、前記アンテナ基板ユニット（１４）の背面（１４ｃ）が押圧されて固定されるアンテナ基板ユニット（１４）の固定具を具備した、
ことを特徴とする。
【００１２】
また、請求項３に記載の非接触型ＩＣカードの固定装置は、請求項２に記載の非接触型ＩＣカードの固定装置に加えて、
前記押圧片（１０ｇ）には、前記アンテナ基板ユニット（１４）の背面（１４ｃ）を押圧する側の先端部に突起部（１０ｈ）が形成される、
ことを特徴とする。
【考案の効果】
【００１３】
請求項１に記載の非接触型ＩＣカードの固定装置によれば、
前記カード固定基板前面（１０ａ）と前記カード固定蓋（１１）との間に形成された空間（１２）に、上部より非接触型ＩＣカード（２）が挿入されると、前記一対の挟持片（１１ｂ）が弾性変形して、該挟持片（１１ｂ）先端の折り曲げ部（１１ｃ）と、前記一対の突条（１０ｄ）とによって前記非接触式ＩＣカード（２）が挟持されて固定されるので、該ＩＣカードを確実に固定することができる。
【００１４】
また、請求項２に記載の非接触型ＩＣカードの固定装置によれば、請求項１に記載の非接触型ＩＣカードの固定装置の効果に加えて、
前記カード固定基板（１０）の背面（１０ｅ）に、アンテナ基板ユニット（１４）を固定するアンテナ基板ユニット（１４）を固定する固定具を接合して当該非接触型ＩＣカードの固定装置９を形成したので、コンパクトに形成することができる。また、請求項１に記述の固定された非接触型ＩＣカード（２）と当該アンテナ基板（１４ａ）との距離が一定に保持される。
【００１５】
また、請求項３に記載の非接触型ＩＣカードの固定装置によれば、請求項２に記載の非接触型ＩＣカードの固定装置の効果に加えて、
前記押圧片（１０ｇ）には、カード固定基板背面（１０ｅ）と前記アンテナ基板ユニット（１４）の背面（１４ｃ）を押圧する側の先端部に突起部（１０ｈ）が形成されているので、該アンテナ基板ユニット（１４）を確実に移動させることなく保持することができる。
【００１６】
以上の考案の非接触型ＩＣカードの固定装置（９）によって、該ＩＣカード（２）を確実に固定すると共に、当該非接触型ＩＣカードリーダライタ（１）の有するアンテナ基板ユニット（１４）を固定することができる。
【考案を実施するための最良の形態】
【００１７】
本考案における実施例について図１〜７を用いて説明する。なお、各図の同様な構成要素に付した符号は同一としてある。
【実施例１】
【００１８】
図１に実施例に関する非接触型ＩＣカードリーダライタ１の外観を示す。この非接触型ＩＣカードリーダライタ１は、非接触型ＩＣカード２を挿入するカードポケット３、金額等を表示する表示部４、金額等の情報を入力操作する操作部５、電源スイッチ６および電源プラグ７が、この筐体８に配設されている。電源プラグ７に図示しない電源コードを介して電力が供給され、電源スイッチ６がＯＮされ作動可能となる。
【００１９】
非接触型ＩＣカード２がカードポケット３へ挿入されると、それを検知して当該カード２内の情報が読み取られる。次に、操作部５によって、金額等の情報を入力し完了すると、表示部４にこの情報が表示されると共に、当該カード２に該情報が書き込まれる。その後、該カード２は、カードポケット３より引き抜かれて一連のカード処理が終了する。
【００２０】
図２に本非接触型ＩＣカードリーダライタ１の正面図（図２（ａ））と側面図（図２（ｂ））とを示す。図中の破線部分は、非接触型ＩＣカードの固定装置９を示しており、カードポケット３の下部に相当する筐体８の内部に配設されている。
【００２１】
図３は前記非接触型ＩＣカードの固定装置９であり、図３（ａ）は前面方向から見た斜視図、図３（ｂ）はその分解斜視図である。本固定装置９は、カード固定基板１０とカード固定蓋１１とから構成され、樹脂材にて成形されている。図４は前記非接触型ＩＣカードの固定装置９の背面方向からみた斜視図である。図５（ａ）は非接触型ＩＣカードの固定装置９に非接触型ＩＣカードが挿入された状態であり、図５（ｂ）はアンテナ基板ユニットであり、図５（ｃ）はアンテナ基板ユニットが挿入された状態である。図６は非接触型ＩＣカードの固定装置の平面図、図７は非接触型ＩＣカードの固定装置の略断面図（図３のＸ−Ｘ断面）であって、非接触型ＩＣカードが挿入される順序を示す図である。
【００２２】
カード固定基板１０は、該カード固定基板前面１０ａの左右および下側には、前方へ延出する枠１０ｂ、１０ｂが該カード固定基板１０と一体にして形成され、さらに左右の枠１０ｂ、１０ｂには、その左および右に延出する延出部１０ｃ、１０ｃが設けられている。また、該カード固定基板前面１０ａには、中心軸左右対称に一対の突条１０ｄ、１０ｄが設けられている（図３参照）。
【００２３】
カード固定蓋１１の左右の延出部１１ａ、１１ａは、前記カード固定基板１０の左右に延出する延出部１０ｃ、１０ｃとビスによって接合される（図３、図６参照）。前記カード固定蓋１１には、中心軸左右対称に一対の挟持片１１ｂ、１１ｂが設けられており、該挟持片１１ｂ先端の折り曲げ部１１ｃは、前記カード固定基板に形成された一対の突条１０ｄと当接する（図３のＡ部、図６のＢ部、図７のＣ部を参照）。
【００２４】
前記カード固定基板前面１０ａとカード固定蓋１１との間に形成された空間１２に上部より非接触型ＩＣカード２が挿入される（図５（ａ）参照）と、前記一対の挟持片１１ｂ、１１ｂが弾性変形して、該挟持片先端の折り曲げ部１１ｃ、１１ｃと、前記一対の突条１０ｄ、１０ｄとによって前記非接触式カード２が挟み込まれることによって固定される（図７（ｂ）および（ｃ）参照）。
【００２５】
一方、カード固定基板背面１０ｅの左右および下側には、後方へ延出する枠１０ｆがカード固定基板１０と一体にして形成され、左右の枠１０ｆ、１０ｆには２対の押圧片１０ｇが各々内側に向かって設けられている。該押圧片１０ｇのカード固定基板背面１０ｅと対向する側には、突起部１０ｈが形成されている（図４参照）。
【００２６】
アンテナ基板ユニット１４は、アンテナ基板１４ａ、フェライトコア１４ｂ、金属板１４ｃおよび配線１４ｄより構成されている（図５（ｂ）参照）。カード固定基板背面１０ｅと、それに対向する前記押圧片１０ｇとの間に形成される空間１３にアンテナ基板ユニット１４がその上部より挿入されると、アンテナ基板ユニット１４の前面、即ちアンテナ基板１４ａの前面が、カード固定基板背面１０ｅに密着すると共に、アンテナ基板ユニットの背面、即ち金属板１４ｃの背面が、前記２対の押圧片１０ｇに設けられた突起部１０ｈと当接し弾性変形し押圧されることによって、該アンテナ基板ユニット１４が固定される（図５（ｃ）参照）。
【００２７】
以上のような非接触型ＩＣカードの固定装置９によれば、非接触ＩＣカード２を確実に固定すると共に、アンテナ基板ユニット１４をも固定することができる。
【００２８】
なお、前記カード固定蓋１１の左右の延出部１１ａ、１１ａと、前記カード固定基板１０の左右に延出する延出部１０ｃ、１０ｃとは、本実施例では、ビスによって接合されているが、これらを溶着させてもよい。また、本実施例では、前記押圧片１０ｇのカード固定基板背面１０ｅと対向する側には、突起部１０ｈが形成されているが、これが無い場合でもあっても、突起部１０ｈによってもたらされる押圧片１０ｇによる弾性変形の効果が薄れるものの、アンテナ基板ユニット１４を固定できることにかわりはない。
【図面の簡単な説明】
【００２９】
【図１】非接触型ＩＣカードリーダライタの外観図である。
【図２】非接触型ＩＣカードリーダライタの正面図（ａ）と側面図（ｂ）である。
【図３】非接触型ＩＣカードの固定装置の前面から見た斜視図（ａ）、その分解図（ｂ）である。
【図４】非接触型ＩＣカードの固定装置の背面から見た斜視図である。
【図５】（ａ）は非接触型ＩＣカードが挿入された状態、（ｂ）はアンテナ基板ユニット、および（ｃ）はアンテナ基板ユニットが挿入された状態である。
【図６】非接触型ＩＣカードの固定装置の平面図である。
【図７】非接触型ＩＣカードの固定装置の略断面図（図３のＸ−Ｘ断面）であって、非接触型ＩＣカードが挿入される順序を示す図である。
【符号の説明】
【００３０】
１…非接触型ＩＣカードリーダライタ、２…非接触型ＩＣカード、３…カードポケット、４…表示部、５…操作部、６…電源スイッチ、７…電源プラグ、８…筐体、９…非接触型ＩＣカードの固定装置、１０…カード固定基板、１０ａ…カード固定基板前面、１０ｂ…枠、１０ｃ…延出部、１０ｄ…突条、１０ｅ…カード固定基板背面、１０ｆ…枠、１０ｇ…押圧片、１０ｈ…突起部、１１…カード固定蓋、１１ａ…延出部、１１ｂ…挟持片、１１ｃ…折り曲げ部、１２、１３…空間、１４…アンテナ基板ユニット、１４ａ…アンテナ基板、１４ｂ…フェライトコア、１４ｃ…金属板、１４ｄ…配線、Ａ、Ｂ、Ｃ…当設部。
【図１】
0003101465.tif 000003
【図２】
0003101465.tif 000004
【図３】
0003101465.tif 000005
【図４】
0003101465.tif 000006
【図５】
0003101465.tif 000007
【図６】
0003101465.tif 000008
【図７】
0003101465.tif 000009